(57)【特許請求の範囲】
【請求項１】
切れ刃を備える軸状の工具本体の内部に形成されて、前記切れ刃に向けてクーラントを供給する切削工具のクーラント供給孔構造であって、
前記工具本体の工具軸線に沿うように延びる第１供給孔と、
前記第１供給孔の内面に形成されて、前記工具軸線とは反対側へ向けて窪む凹所と、
前記凹所の奥面に開口するとともに、前記切れ刃へ向かうように延びる第２供給孔と、を備え、
前記凹所は、前記第１供給孔の内面から前記奥面に向かうに従い漸次第２供給孔の軸線に接近するように傾斜して形成されていることを特徴とする切削工具のクーラント供給孔構造。
【請求項２】
切れ刃を備える軸状の工具本体の内部に形成されて、前記切れ刃に向けてクーラントを供給する切削工具のクーラント供給孔構造であって、
前記工具本体の工具軸線に沿うように延びる第１供給孔と、
前記第１供給孔の内面に形成されて、前記工具軸線とは反対側へ向けて窪む凹所と、
前記凹所の奥面に開口するとともに、前記切れ刃へ向かうように延びる第２供給孔と、を備え、
前記凹所は、前記工具軸線方向に間隔をあけて複数形成されており、
前記第１供給孔の内面は、前記工具軸線に沿う後端側から先端側へ向かうに従い漸次工具軸線に接近するように傾斜して形成されていることを特徴とする切削工具のクーラント供給孔構造。
【請求項３】
請求項１又は２に記載の切削工具のクーラント供給孔構造であって、
前記工具本体は、前記工具軸線回りに回転されて、前記切れ刃で被削材を転削加工することを特徴とする切削工具のクーラント供給孔構造。
【請求項４】
請求項２又は３に記載の切削工具のクーラント供給孔構造であって、
前記第１供給孔の内面が前記工具軸線に対して傾斜する角度αは、０°＜α≦２０°の範囲内に設定されることを特徴とする切削工具のクーラント供給孔構造。
【請求項５】
請求項３又は４に記載の切削工具のクーラント供給孔構造であって、
前記第２供給孔の軸線は、前記切れ刃よりも前記工具本体が回転する工具回転方向の前方側に向けて延びており、
前記第２供給孔の軸線と前記切れ刃との距離が、０．５ｍｍ〜３ｍｍの範囲内に設定されることを特徴とする切削工具のクーラント供給孔構造。
【請求項６】
請求項１〜５のいずれか一項に記載の切削工具のクーラント供給孔構造であって、
前記第２供給孔は、該第２供給孔の軸線に垂直な断面が円形状をなし、
前記第２供給孔の前記切れ刃側に連通して、前記断面が円形状とされているとともに該第２供給孔よりも小径の第３供給孔が形成され、
これら第２、第３供給孔の間には、前記第２供給孔の軸線に沿って前記切れ刃側へ向かうに従い漸次縮径するテーパ面が形成されていることを特徴とする切削工具のクーラント供給孔構造。
【請求項７】
請求項６に記載の切削工具のクーラント供給孔構造であって、
前記第３供給孔の内径が、０．５ｍｍ〜１．６ｍｍの範囲内に設定されることを特徴とする切削工具のクーラント供給孔構造。
【発明の詳細な説明】
【技術分野】
【０００１】
本発明は、切削工具のクーラント供給孔構造に関するものである。
【背景技術】
【０００２】
従来、工作機械に取り付けられて、金属材料からなる被削材に切削加工を施す切削工具が知られている。この種の切削工具として、例えば、軸状をなす工具本体と、この工具本体の先端部や外周部に着脱可能に装着される板状の切削インサートとを備え、工具本体がその中心軸（工具軸線）回りに回転されることにより、切削インサートの切れ刃で被削材を転削加工するように構成された刃先交換式転削工具がある。
【０００３】
例えば、特許文献１、２に示される刃先交換式転削工具においては、工具本体の先端外周部に複数のインサート取付座が形成されており、これらインサート取付座には、切削インサートがそれぞれ装着されている。これら切削インサートは、工具軸線方向に並ぶように列をなしており、列全体としては工具回転方向に捩れるように螺旋階段状とされている。また、このような切削インサートの列は、前記先端外周部において周方向に間隔をあけて複数形成されている。
【０００４】
前記刃先交換式転削工具は、切削油剤等のクーラントを工具本体の内部に流通させるとともに、切れ刃近傍へ向けて噴出させるクーラント供給孔構造を備えている。詳しくは、クーラント供給孔構造は、工具本体の工具軸線に沿うように延びる第１供給孔（供給孔、冷却媒体通路）と、この第１供給孔に連通するとともに前記先端外周部の切削インサートに向けて延びる第２供給孔（噴出孔、分岐通路）とを備えており、該第２供給孔は切屑排出溝（チップ溝）に開口されている。そして、切削加工時には、工具本体の後端部を支持する工作機械の主軸等から該工具本体の第１供給孔にクーラントが供給され、クーラントは第１供給孔内を工具本体の先端側へ向けて流れていき、第２供給孔を通って切削インサートの切れ刃近傍へ向けて噴出される。
【先行技術文献】
【特許文献】
【０００５】
【特許文献１】実開平３−１５０１７号公報
【特許文献２】特開平７−６０５２８号公報
【発明の概要】
【発明が解決しようとする課題】
【０００６】
しかしながら、この種の切削工具のクーラント供給孔構造においては、下記のような課題を有していた。
一般に、第１供給孔が工具軸線に沿って１つ形成されているのに対し、第２供給孔は切削インサートの切れ刃の配置に対応するように、工具軸線を中心に周方向に間隔をあけたり工具軸線方向に間隔をあけたりして、複数形成されている。この場合に、第２供給孔の配置等によって、一部の孔（第２供給孔）からクーラントが噴出されにくくなることがあった。すなわち、これら第２供給孔を通って噴出されるクーラントの流速や供給量を均等に設定することは難しかった。
【０００７】
具体的に、例えば特許文献１、２に記載された切削工具のように、複数の切削インサートが工具軸線方向に沿うように配列されている場合、第２供給孔は、切削インサートの切れ刃の配置に対応して、工具軸線方向に間隔をあけて複数形成される。これら第２供給孔のうち、工具本体の先端側に位置する第２供給孔を通って噴出されるクーラントの流速や供給量に対比して、該第２供給孔よりも工具本体の後端側に位置する他の第２供給孔から噴出されるクーラントの流速や供給量が低められることがあった。
【０００８】
第２供給孔同士の間でクーラントの流速や供給量に差が生じると、工具全体として切れ刃の切れ味や切屑の排出性が安定しなくなり、加工精度が確保できなくなる。また、クーラントが十分に供給されない領域に配置された切削インサートは、クーラントによる切れ刃の冷却・潤滑効果が得られにくくなり、溶着や折損等が生じやすくなって、工具寿命が短くなってしまう。
【０００９】
本発明は、このような事情に鑑みてなされたものであって、切れ刃近傍へ向けて噴出するクーラントの流速や供給量を工具全体に均等にでき、切れ刃の切れ味や切屑の排出性を安定して高めることができるとともに、加工精度が確保され、工具寿命を延長できる切削工具のクーラント供給孔構造を提供することを目的としている。
【課題を解決するための手段】
【００１０】
前記目的を達成するために、本発明は以下の手段を提案している。
すなわち本発明は、切れ刃を備える軸状の工具本体の内部に形成されて、前記切れ刃に向けてクーラントを供給する切削工具のクーラント供給孔構造であって、前記工具本体の工具軸線に沿うように延びる第１供給孔と、前記第１供給孔の内面に形成されて、前記工具軸線とは反対側へ向けて窪む凹所と、前記凹所の奥面に開口するとともに、前記切れ刃へ向かうように延びる第２供給孔と、を備え、前記凹所は、前記第１供給孔の内面から前記奥面に向かうに従い漸次第２供給孔の軸線に接近するように傾斜して形成されていることを特徴とする。
また本発明は、切れ刃を備える軸状の工具本体の内部に形成されて、前記切れ刃に向けてクーラントを供給する切削工具のクーラント供給孔構造であって、前記工具本体の工具軸線に沿うように延びる第１供給孔と、前記第１供給孔の内面に形成されて、前記工具軸線とは反対側へ向けて窪む凹所と、前記凹所の奥面に開口するとともに、前記切れ刃へ向かうように延びる第２供給孔と、を備え、前記凹所は、前記工具軸線方向に間隔をあけて複数形成されており、前記第１供給孔の内面は、前記工具軸線に沿う後端側から先端側へ向かうに従い漸次工具軸線に接近するように傾斜して形成されていることを特徴とする。
【００１１】
本発明に係る切削工具のクーラント供給孔構造は、軸状の工具本体と、この工具本体の先端部又は／及び外周部（以下、先端外周部と省略する）に配置されて被削材を切削する切れ刃と、を備えた切削工具に用いられて、切削油剤等のクーラントを切れ刃近傍に供給するものである。切削工具は、例えば、工具本体の後端部が工作機械の主軸等に支持された状態で、前記工具軸線回りに回転させられることにより、切れ刃で被削材を切削加工（転削加工）する。切削工具の工具本体には、その中心軸（工具軸線）に沿うように第１供給孔が形成されている。第１供給孔は、例えば円柱孔状に形成されており、その内面には、前記工具軸線とは反対側へ向けて窪む凹所が形成されている。凹所は、例えば、前記工具軸線を中心に周方向に沿って延びる円環状や、前記内面から部分的に凹む凹曲面状等に形成されており、その奥面（凹所における径方向外方に配されて前記工具軸線側を向く面、すなわち底面）には、第２供給孔が開口している。第２供給孔は、例えば第１供給孔よりも小径の円柱孔状に形成されて、前記切れ刃へ向かうように延びている。
【００１２】
ここで、従来の構成においては、第１供給孔の内面に単純に第２供給孔を開口させて、これら第１、第２供給孔同士を連通させていた。しかしながら、第１供給孔と第２供給孔とは、互いの内径が異なるとともに延在する向きも異なっているため、第１供給孔から第２供給孔に流入するクーラントは、その流速が摩擦抵抗等により大きく減じられることとなり、切れ刃近傍へ向けてクーラントを勢いよく噴出させることができなかった。
一方、本発明の切削工具のクーラント供給孔構造によれば、工作機械の主軸等から工具本体の第１供給孔にクーラントが供給されると、クーラントは該第１供給孔の凹所に溜まるとともに、該凹所の形状に沿うようにこの凹所内を前記工具軸線とは反対側へ向けて流れて、凹所の奥面に開口された第２供給孔内にスムースに案内される。すなわち、クーラントが凹所を介して第１供給孔から第２供給孔に流入することによって、該クーラントの流速が減じられるようなことが防止されているとともに供給量が確保されて、クーラントは切れ刃近傍へ向けて勢いよく噴出されるのである。
【００１３】
また、例えば、切削工具の工具本体において、切れ刃が工具軸線方向や周方向に間隔をあけて複数設けられたり、工具軸線に沿うように延在して長刃に形成されたりする場合には、該切れ刃に対応して第２供給孔が複数形成される。このような場合に、前述した従来の構成では、第２供給孔の配置等によって一部の孔（第２供給孔）からクーラントが噴出されにくくなることがあり、これら第２供給孔を通って噴出されるクーラントの流速や供給量を均等に設定することは難しかった。
一方、本発明に係る切削工具のクーラント供給孔構造によれば、それぞれの第２供給孔を通って噴出するクーラントの流速や供給量が十分に確保されるので、これら第２供給孔同士におけるクーラントの流速や供給量に差が生じにくくなり、工具全体としてクーラントが均等に噴出される。
【００１４】
従って、工具全体として切れ刃の切れ味や切屑の排出性が安定して高められることとなり、加工精度が確保される。また、切れ刃の冷却・潤滑効果が確実に得られることから、該切れ刃の溶着や折損等が防止されて、工具寿命が延長する。
【００１６】
また、凹所が、第１供給孔の内面から奥面に向かうに従い漸次第２供給孔の軸線に接近するように傾斜して形成されていることで、該凹所内を流れるクーラントの摩擦抵抗が低減されるとともに、前記奥面に向かうに従い漸次クーラントの流速が高められる。これにより、第２供給孔内を通って噴出されるクーラントの勢いが増す。
【００２０】
一般に、第１供給孔における工具軸線方向の後端側の部位に必要とされるクーラント量は、工具軸線方向の先端側の部位に必要とされるクーラント量よりも多い。すなわち、第１供給孔内において工具軸線方向の後端側の部位に必要とされるクーラント量は、該後端側の部位から第２供給孔を通して切れ刃近傍へ向けて噴出されるクーラント量のみならず、該後端側の部位から工具軸線方向の先端側の部位へ流れ、該先端側の部位から第２供給孔を通して切れ刃近傍へ向けて噴出されるクーラント量をも含んでいる。そのため、第１供給孔の内面が、工具軸線に沿う後端側から先端側へ向かうに従い漸次工具軸線に接近するように傾斜して形成されていることで、クーラント量が多く必要とされる第１供給孔内の工具軸線方向の後端側の部位における容量が十分に確保されている。
【００２１】
またこのような構成により、クーラントは、工具軸線方向に間隔をあけて配置された複数の凹所に対して略均等に流れ込むこととなる。そして、クーラントは、これら凹所に開口する各第２供給孔を通して、切れ刃近傍へ向けて均等に噴出されることになり、工具全体として切れ刃の切れ味や切屑の排出性が安定して高められるのである。
また、本発明に係る切削工具のクーラント供給孔構造において、前記工具本体は、前記工具軸線回りに回転されて、前記切れ刃で被削材を転削加工することとしてもよい。
本発明に係る切削工具のクーラント供給孔構造によれば、工具本体が工具軸線回りに回転されることにより切れ刃で被削材を転削加工するので、工具本体が回転する際に生じる遠心力によって、凹所にクーラントが溜まりやすくされている。また、凹所に溜まったクーラントが、工具軸線とは反対側の奥面へ向けて流れやすくなるとともに、前記奥面に開口する第２供給孔内に流入しやすくなる。これにより、切れ刃近傍へ噴出されるクーラントの流速や供給量が確実に高められる。
【００２２】
また、本発明に係る切削工具のクーラント供給孔構造において、前記第１供給孔の内面が前記工具軸線に対して傾斜する角度αは、０°＜α≦２０°の範囲内に設定されることとしてもよい。
【００２３】
本発明に係る切削工具のクーラント供給孔構造によれば、第１供給孔の内面が工具軸線に対して傾斜する角度αが、０°＜α≦２０°の範囲内に設定されているので、工具軸線方向に沿って複数の凹所が形成されている場合に、これら凹所にクーラントが略均等に流入するとともに、工具本体の剛性が確保される。すなわち、角度αが２０°を超えて設定された場合には、工具本体において工具軸線方向の後端側に位置する部位の肉厚が確保しにくくなって、該工具本体の剛性が低減することがある。
【００２４】
また、本発明に係る切削工具のクーラント供給孔構造において、前記第２供給孔の軸線は、前記切れ刃よりも前記工具本体が回転する工具回転方向の前方側に向けて延びており、前記第２供給孔の軸線と前記切れ刃との距離が、０．５ｍｍ〜３ｍｍの範囲内に設定されることとしてもよい。
【００２５】
本発明に係る切削工具のクーラント供給孔構造によれば、第２供給孔の軸線が、切れ刃よりも工具回転方向の前方側へ向けて延びており、該軸線と切れ刃との距離が、０．５ｍｍ〜３ｍｍの範囲内に設定されている。すなわち、第２供給孔を流れるクーラントは、切れ刃が切削して生じる切屑に向けて噴出されることとなり、詳しくは、該切屑の根元付近に向けて噴出される。
【００２６】
ここで、切屑は、切れ刃に削り取られるとともにすくい面に掬われることによって、工具本体の工具軸線側へ向かった後、工具回転方向の前方側へ向かうように、カールして生成されている（例えば、図３参照）。従って、切屑の根元付近に噴出されたクーラントは、切屑を冷却した後、該切屑のカールに沿うように、切屑とすくい面との間やその周囲を切れ刃側へ向かって流れていく。これにより、切屑及び切れ刃に効率よく安定してクーラントが供給されることとなり、切屑の排出性や切れ刃の切れ味が安定して高められて、加工精度が確保される。
【００２７】
また、本発明に係る切削工具のクーラント供給孔構造において、前記第２供給孔は、該第２供給孔の軸線に垂直な断面が円形状をなし、前記第２供給孔の前記切れ刃側に連通して、前記断面が円形状とされているとともに該第２供給孔よりも小径の第３供給孔が形成され、これら第２、第３供給孔の間には、前記第２供給孔の軸線に沿って前記切れ刃側へ向かうに従い漸次縮径するテーパ面が形成されていることとしてもよい。
【００２８】
本発明に係る切削工具のクーラント供給孔構造によれば、第２供給孔よりも小径に設定された第３供給孔が、該第２供給孔の切れ刃側に連通して形成されている。そして、これら第２、第３供給孔の間には、第２供給孔の軸線に沿って切れ刃側へ向かうに従い漸次縮径するテーパ面が形成されている。このようなテーパ面が形成されていることにより、第２供給孔から第３供給孔に流入するクーラントの摩擦抵抗が低減されるとともに、クーラントの流速が高められている。従って、第３供給孔内を通って切れ刃近傍へ噴出されるクーラントの勢いが十分に確保される。
【００２９】
また、本発明に係る切削工具のクーラント供給孔構造において、前記第３供給孔の内径が、０．５ｍｍ〜１．６ｍｍの範囲内に設定されることとしてもよい。
【００３０】
本発明に係る切削工具のクーラント供給孔構造によれば、第３供給孔の内径が０．５ｍｍ〜１．６ｍｍの範囲内に設定されているので、クーラントが該第３供給孔内で詰まるようなことが防止されているとともに、該クーラントの噴出力が十分に確保される。すなわち、前記内径が０．５ｍｍよりも小さく設定された場合、第３供給孔内でクーラントが固着等により詰まってしまうことがある。また、前記内径が１．６ｍｍを超えて設定された場合、第２供給孔から第３供給孔に流れ込んだクーラントの流速が十分に高められにくくなり、噴出の勢いが確保できないことがある。
【発明の効果】
【００３１】
本発明に係る切削工具のクーラント供給孔構造によれば、切れ刃近傍へ向けて噴出するクーラントの流速や供給量を工具全体に均等にでき、切れ刃の切れ味や切屑の排出性を安定して高めることができるとともに、加工精度が確保され、工具寿命を延長できる。
【図面の簡単な説明】
【００３２】
【図１】本発明の一実施形態に係る切削工具のクーラント供給孔構造を用いた刃先交換式転削工具を示す側面図である。
【図２】図１の刃先交換式転削工具を一部簡略化して示す側断面図であり、本発明の一実施形態に係る切削工具のクーラント供給孔構造を説明する図である。
【図３】図２のＡ−Ａ断面を示す図である。
【図４】本発明の一実施形態に係る切削工具のクーラント供給孔構造の要部を説明する側断面図である。
【図５】本発明の一実施形態に係る切削工具のクーラント供給孔構造の要部を説明する側断面図である。
【発明を実施するための形態】
【００３３】
図１、図２に示すように、本発明の一実施形態に係る切削工具のクーラント供給孔構造１０は、切削工具である刃先交換式転削工具１に形成されている。刃先交換式転削工具１は、鋼材等からなる軸状の工具本体２と、超硬合金等の硬質材料からなり、工具本体２の先端外周部に着脱可能に装着されて該工具本体２から切れ刃３を突出させる板状の切削インサート４と、を備えている。詳しくは、工具本体２は円柱状をなしており、刃先交換式転削工具１は、該工具本体２の中心軸（工具軸線）Ｏ１方向の後端部（図１、図２における上側の端部）が工作機械の主軸等に支持された状態で、工具軸線Ｏ１回りに工具回転方向Ｔに回転させられることにより、切れ刃３で金属材料からなる被削材を切削加工（転削加工）する。
この切削工具のクーラント供給孔構造１０は、工具本体２の内部に形成されて、切れ刃３に向けて切削油剤等からなるクーラントを供給するものである。
【００３４】
図２において、工具本体２には、工具軸線Ｏ１方向に該工具本体２を貫通する多段円柱孔状の装着孔５が形成されている。装着孔５は、工具本体２の後端面２Ａに開口するとともに内径が最も大きく設定された大径部５Ａと、工具本体２の先端面２Ｂに開口するとともに大径部５Ａよりも小径とされた小径部５Ｂと、これら大径部５Ａ及び小径部５Ｂの間に配されて最も小径とされた第１供給孔６と、が同軸に配置されて形成されている。また、工具本体２には、該工具本体２の後端面２Ａに開口するとともに、工具軸線Ｏ１に対して直径方向に延びるようにキー溝７が形成されている。
【００３５】
この刃先交換式転削工具１は、工作機械の主軸における装着軸が装着孔５の大径部５Ａに工具本体２の後端側（図２における上側）から嵌挿させられるとともに、前記主軸に設けられたキーがキー溝７に嵌合させられるようになっている。そして、この状態で、工具本体２の先端側（図２における下側）から装着孔５に挿入した装着ボルトを前記装着軸のボルト孔にねじ込むことにより、この装着ボルトの頭部が装着孔５の小径部５Ｂと第１供給孔６との段差部５Ｃを押圧して、工具本体２の後端面２Ａが前記主軸に押し付けられ該主軸に取り付けられる。この装着ボルトの周囲には、第１供給孔６の内面６Ａとの間に空間が設けられており、該空間には工作機械の主軸側からクーラントが供給される。
【００３６】
図１において、工具本体２の外周面には、先端面２Ｂから後端側に向かうに従い漸次工具回転方向Ｔの後方側に捩れるように切屑排出溝８が形成されている。切屑排出溝８は、工具本体２の外周面に周方向に間隔をあけて複数条形成されている。
【００３７】
切屑排出溝８には、凹状のインサート取付座９が該切屑排出溝８に沿って複数（本実施形態では４つずつ）形成されている。インサート取付座９は、工具回転方向Ｔの前方側を向く壁面と、工具本体２の径方向外方を向く底面と、を備えている。工具本体２の外周面に対向する向きから見て、インサート取付座９の前記壁面は、凹Ｖ字状に形成されている。また、インサート取付座９の前記底面は、概略五角形状に形成されており、該底面の略中央には、工具本体２の径方向に向けて延びるように取付ネジ孔が形成されている。
【００３８】
切削インサート４は、超硬合金等の硬質焼結体により多角形の平板状に形成されている。詳しくは、切削インサート４は、一対の多角形面とその周囲に配置される側面とを備えていて、これらの側面の１つをすくい面として工具回転方向Ｔの前方側へ向けた状態で、インサート取付座９に取り付けられる。具体的には、本実施形態の切削インサート４は概略五角形平板状とされており、一対の五角形面１２と、これら五角形面１２の周囲に配置される側面１３とを備えている。
【００３９】
また、切削インサート４の側面１３のうち、工具回転方向Ｔの前方側を向く面がすくい面１３Ａとされ、工具回転方向Ｔの後方側を向く面が着座面１３Ｂとされている。切削インサート４は、五角形面１２に対向する方向から見てこの着座面１３Ｂが凸Ｖ字状をなすことにより五角形状を呈している。また、切削インサート４には、一対の五角形面１２の間を貫通する取付孔１４が両五角形面１２の略中央に開口するように形成されている。
【００４０】
切削インサート４には切れ刃３が形成されており、該切れ刃３は、工具本体２の外周面から径方向外方に向けて突出する主切れ刃３Ａと、工具本体２の先端面２Ｂから先端側に向けて突出する副切れ刃３Ｂと、これら主切れ刃３Ａ及び副切れ刃３Ｂを繋ぐ凸曲線状のコーナー刃とを有している。
【００４１】
詳しくは、切削インサート４のすくい面１３Ａは概略平行四辺形状に形成されており、この平行四辺形の辺部及び角部が切れ刃３とされている。そして、前記辺部のうち、すくい面１３Ａと五角形面１２との交差稜線部が主切れ刃３Ａとされる。また、前記辺部のうち、すくい面１３Ａと該すくい面１３Ａに隣接する他の側面１３との交差稜線部が副切れ刃３Ｂとされる。また、前記角部が前記コーナー刃とされる。
【００４２】
切削インサート４は、一対の五角形面１２のうち１つをインサート取付座９の前記底面に当接させ、着座面１３Ｂをインサート取付座９の前記壁面に当接させて、インサート取付座９に着座させられる。この状態で、切削インサート４の取付孔１４にクランプネジ１１が挿通されるとともにインサート取付座９の前記取付ネジ孔にねじ込まれることにより、切削インサート４はインサート取付座９の前記底面と前記壁面とに押し付けられた状態で、該インサート取付座９に着脱可能に取り付けられる。
【００４３】
また、１つの切屑排出溝８に沿って複数形成されるインサート取付座９は、工具回転方向Ｔの前方側を向くそれぞれの前記壁面が切屑排出溝８の捩れに沿った螺旋階段状をなすように配列されている。すなわち、工具本体２の先端側のインサート取付座９の前記壁面に対して、その後端側に隣り合う他のインサート取付座９の前記壁面が、工具回転方向Ｔの後方側に向けて一段ずらされるようにして配置されている。
【００４４】
図１において、１つの切屑排出溝８に沿ってインサート取付座９に装着された複数（本実施形態では４つ）の切削インサート４は、全体として螺旋階段状に配列されており、工具本体２には、このような列が該工具本体２の外周面に周方向に間隔をあけて複数形成されている。また、図２に示すように、１つの切屑排出溝８に沿ってインサート取付座９に取り付けられる複数の切削インサート４同士においては、これら切削インサート４の主切れ刃３Ａ同士の工具軸線Ｏ１回りの回転軌跡が該工具軸線Ｏ１方向に連続して長刃を形成するように配置されている。
【００４５】
また、切屑排出溝８において、インサート取付座９の前記底面よりも工具回転方向Ｔの前方側に位置する部位は、該底面よりも工具軸線Ｏ１側へ向けて窪む凹曲面状に形成されて、溝底面８Ａとされている。
【００４６】
そして、切削工具のクーラント供給孔構造１０は、工具本体２の工具軸線Ｏ１に沿うように延びる第１供給孔６と、第１供給孔６の内面６Ａに形成されて、工具軸線Ｏ１とは反対側（工具本体２の径方向外方）へ向けて窪む凹所１５と、凹所１５の奥面（底面）１５Ａに開口するとともに切れ刃３へ向かうように延びる第２供給孔１６と、第２供給孔１６の切れ刃３側にテーパ面１８を介して連通する第３供給孔１７と、を備えている。
【００４７】
図２に示すように、第１供給孔６は、工具本体２の工具軸線Ｏ１を中心とした円柱孔状又は切頭円錐孔状に形成されており、その工具軸線Ｏ１に垂直な断面が円形状をなしている。詳しくは、第１供給孔６は、その内面６Ａが工具軸線Ｏ１に沿う後端側から先端側へ向かうに従い漸次工具軸線Ｏ１に接近するように傾斜して形成されて、その先端部が最も小径とされている。また、第１供給孔６の内面６Ａが工具軸線Ｏ１に対して傾斜する角度αは、０°＜α≦２０°の範囲内に設定されている。
【００４８】
第１供給孔６の内面６Ａには、凹所１５が複数形成されている。本実施形態では、凹所１５は工具軸線Ｏ１方向に間隔をあけて２つ形成されており、これら凹所１５は、工具軸線Ｏ１を中心に周方向に沿って延びる円環状にそれぞれ形成されている。また、これら凹所１５のうち、工具軸線Ｏ１方向の後端側に位置する凹所１５は、工具軸線Ｏ１方向の先端側に位置する凹所１５よりも大径に形成されている。凹所１５には、該凹所１５内の径方向外方に配されて工具軸線Ｏ１側（工具本体２の径方向内方）を向く奥面１５Ａが形成されている。また、これら凹所１５の深さＸ（第１供給孔６の内面６Ａから奥面１５Ａまでの距離）は、互いに同一の値に設定されており、この深さＸは、例えば０．５ｍｍ〜２．５ｍｍの範囲内に設定される。
【００４９】
凹所１５は、第１供給孔６の内面６Ａから奥面１５Ａに向かうに従い漸次第２供給孔１６の軸線Ｏ２に接近するように傾斜して形成されている。図４（ａ）の側断面視に示すように、本実施形態の凹所１５においては、工具軸線Ｏ１側に位置して内面６Ａに連なる部位が断面凸曲線状をなし、前記部位よりも工具本体２の径方向外方に位置する奥面１５Ａ側の部位が断面凹曲線状をなしている。
【００５０】
また、各凹所１５の奥面１５Ａには、第２供給孔１６がそれぞれ開口して形成されている。第２供給孔１６は、第１供給孔６よりも小径の円柱孔状に形成されており、該第２供給孔１６の軸線Ｏ２に垂直な断面は円形状をなしている。また、２つの凹所１５のうち、工具軸線Ｏ１方向の先端側に位置する凹所１５の奥面１５Ａには、複数の第２供給孔１６が開口して形成されている。第２供給孔１６は、凹所１５の奥面１５Ａから工具本体２の切屑排出溝８へ向かうように延びている。尚、本実施形態では、装着孔５の大径部５Ａと第１供給孔６との連結部位にも第２供給孔１６が開口して形成されている。図２の側断面視では、説明の便宜上、複数の第２供給孔１６が工具本体２の同一側断面内に配置されているように記載しているが、実際には、これら第２供給孔１６は、切屑排出溝８の形状に対応するように工具軸線Ｏ１回りに周方向に間隔をあけて配置されている。尚、これら第２供給孔１６同士は、前記同一側断面内に配置されていてもよい。
【００５１】
詳しくは、図２において、第２供給孔１６は、その軸線Ｏ２が凹所１５の奥面１５Ａから径方向外方に向かうに従い漸次工具軸線Ｏ１方向の先端側へ向かうように延びている。また、図３に示すように、第２供給孔１６の軸線Ｏ２は、凹所１５の奥面１５Ａから径方向外方に向かうに従い漸次工具回転方向Ｔの後方側へ向かうように延びている。
【００５２】
図３において、第２供給孔１６の軸線Ｏ２は、切屑排出溝８の溝底面８Ａを通り切削インサート４の切れ刃３近傍へ向けて延びている。詳しくは、第２供給孔１６の軸線Ｏ２は、切削インサート４の主切れ刃３Ａ（切れ刃３）よりも僅かに工具回転方向Ｔの前方側に向けて延びており、該軸線Ｏ２と主切れ刃３Ａとの距離Ｌが、０．５ｍｍ〜３ｍｍの範囲内に設定されている。すなわち、第２供給孔１６の軸線Ｏ２は、切削インサート４の切れ刃３やすくい面１３Ａに交差するように延在しているのではなく、該切れ刃３で切削して生じる切屑Ｗの根元付近へ向けて延在するように設定されている。
【００５３】
また、工具本体２の切屑排出溝８には、第２供給孔１６の切れ刃３側に位置して概略円筒状の調整部材１９がそれぞれ配設されている。詳しくは、調整部材１９は、切屑排出溝８の溝底面８Ａに形成された孔８Ｂに螺合又は嵌合されて、工具本体２に着脱可能に装着されている。調整部材１９は、第２供給孔１６に同軸とされ該第２供給孔１６よりも小径に形成された円柱孔状の第３供給孔１７と、該第３供給孔１７の工具軸線Ｏ１側に位置してこれら第２、第３供給孔同士を繋ぐテーパ面１８とを備えている。
【００５４】
詳しくは、第３供給孔１７は多段円柱孔状をなしており、第２供給孔１６の軸線Ｏ２に垂直な断面が円形状に形成されている。また、第３供給孔１７の内径は、０．５ｍｍ〜１．６ｍｍの範囲内に設定されている。第３供給孔１７における軸線Ｏ２に沿う切れ刃３側の部位は、軸線Ｏ２に沿うテーパ面１８側の部位よりも一段拡径して形成されている。
また、テーパ面１８は、第２供給孔１６の軸線Ｏ２に沿って切れ刃３側へ向かうに従い漸次縮径して形成されている。
【００５５】
切削加工時において、工具本体２を支持する工作機械の主軸側からクーラントが装着孔５に供給されると、クーラントは大径部５Ａ、第１供給孔６、第２供給孔１６、第３供給孔１７の順に流れて、切屑排出溝８に開口する該第３供給孔１７から切れ刃３近傍へ向けて流出される。
【００５６】
以上説明したように、本実施形態の切削工具のクーラント供給孔構造１０によれば、工作機械の主軸側から工具本体２の第１供給孔６にクーラントが供給されると、クーラントは第１供給孔６の凹所１５に溜まるとともに、凹所１５の形状に沿うようにこの凹所１５内を工具軸線Ｏ１とは反対側へ向けて流れ、該凹所１５の奥面１５Ａに開口された第２供給孔１６内にスムースに案内される。すなわち、クーラントが、凹所１５を介して第１供給孔６から第２供給孔１６に流入することによって、該クーラントの流速が減じられるようなことが防止されているとともに供給量が確保されて、クーラントは切れ刃３近傍へ向けて勢いよく噴出されるのである。
【００５７】
本実施形態で説明した刃先交換式転削工具１のように、工具本体２の外周面に周方向に間隔をあけて切削インサート４の列が複数設けられたり、同列に配置された切削インサート４同士の切れ刃３が全体として前記長刃をなすように形成されたりする場合には、各切削インサート４の切れ刃３に対応して、工具本体２には第２供給孔１６が複数形成されている。このような場合に、従来の構成では、第２供給孔１６の配置等によって一部の孔（第２供給孔１６）からクーラントが噴出されにくくなることがあり、これら第２供給孔１６を通って噴出されるクーラントの流速や供給量を均等に設定することが難しかった。
一方、本実施形態に係る切削工具のクーラント供給孔構造１０によれば、それぞれの第２供給孔１６を通って噴出するクーラントの流速や供給量が十分に確保されるので、これら第２供給孔１６同士におけるクーラントの流速や供給量に差が生じにくくなり、工具全体としてクーラントが均等に噴出される。
【００５８】
従って、工具全体として切れ刃３の切れ味や切屑Ｗの排出性が安定して高められることとなり、加工精度が確保される。また、切れ刃３の冷却・潤滑効果が確実に得られることから、該切れ刃３の溶着や折損等が防止されて、工具寿命が延長する。
【００５９】
また、凹所１５が、第１供給孔６の内面６Ａから奥面１５Ａに向かうに従い漸次第２供給孔１６の軸線Ｏ２に接近するように傾斜して形成されているので、該凹所１５内を流れるクーラントの摩擦抵抗が低減されるとともに、奥面１５Ａに向かうに従い漸次クーラントの流速が高められる。これにより、第２供給孔１６内を通って噴出されるクーラントの勢いが増す。
【００６０】
また、この刃先交換式転削工具１は、工具本体２が工具軸線Ｏ１回りに回転されることにより切れ刃３で被削材を転削加工するので、工具本体２が回転する際に生じる遠心力によって、凹所１５にクーラントが溜まりやすくされている。さらに、凹所１５に溜まったクーラントが、工具軸線Ｏ１とは反対側（工具本体２の径方向外方）の奥面１５Ａへ向けて流れやすくなるとともに、奥面１５Ａに開口する第２供給孔１６内に流入しやすくなる。これにより、切れ刃３近傍へ噴出されるクーラントの流速や供給量が確実に高められる。
【００６１】
ところで、第１供給孔６における工具軸線Ｏ１方向の後端側の部位に必要とされるクーラント量は、工具軸線Ｏ１方向の先端側の部位に必要とされるクーラント量よりも多い。すなわち、第１供給孔６内において工具軸線Ｏ１方向の後端側の部位に必要とされるクーラント量は、該後端側の部位から第２供給孔１６を通して切れ刃３近傍へ向けて噴出されるクーラント量のみならず、該後端側の部位から工具軸線Ｏ１方向の先端側の部位へ流れ、該先端側の部位から第２供給孔１６を通して切れ刃３近傍へ向けて噴出されるクーラント量をも含んでいる。本実施形態の切削工具のクーラント供給孔構造１０によれば、第１供給孔６の内面６Ａが、工具軸線Ｏ１に沿う後端側から先端側へ向かうに従い漸次工具軸線Ｏ１に接近するように形成されている。従って、クーラント量が多く必要とされる第１供給孔６内の工具軸線Ｏ１方向の後端側の部位における容量が十分に確保されている。
【００６２】
またこのような構成により、クーラントは、工具軸線Ｏ１方向に間隔をあけて配置された複数の凹所１５に対して略均等に流れ込むこととなる。そして、クーラントは、これら凹所１５に開口する各第２供給孔１６を通して、切れ刃３近傍へ向けて均等に噴出されることになり、工具全体として切れ刃３の切れ味や切屑の排出性が安定して高められるのである。
【００６３】
また、第１供給孔６の内面６Ａが工具軸線Ｏ１に対して傾斜する角度αが、０°＜α≦２０°の範囲内に設定されているので、工具軸線Ｏ１方向に沿って複数の凹所１５が形成されていても、これら凹所１５にクーラントが略均等に流入するとともに、工具本体２の剛性が確保されている。すなわち、角度αが２０°を超えて設定された場合には、工具本体２において工具軸線Ｏ１方向の後端側に位置する部位の肉厚が確保しにくくなり、該工具本体２の剛性が低減することがある。
【００６４】
また、第２供給孔１６の軸線Ｏ２が、切れ刃３よりも工具回転方向Ｔの前方側へ向けて延びており、該軸線Ｏ２と切れ刃３との距離Ｌが、０．５ｍｍ〜３ｍｍの範囲内に設定されている。すなわち、第２供給孔１６内を流れるクーラントは、切れ刃３が切削して生じる切屑Ｗに向けて噴出されることとなり、詳しくは、該切屑Ｗの根元付近に向けて噴出される。
【００６５】
図３に示すように、切屑Ｗは、主切れ刃３Ａ（切れ刃３）に削り取られるとともにすくい面１３Ａに掬われることによって、工具本体２の工具軸線Ｏ１側へ向かった後、工具回転方向Ｔの前方側へ向かうように、カールして生成されている。図示の例では、切屑Ｗは、工具回転方向Ｔとは反対方向にカールするように渦巻き状に形成されている。従って、切屑Ｗの根元付近に噴出されたクーラントは、切屑Ｗを冷却した後、該切屑Ｗの根元付近のカールに沿うように、切屑Ｗとすくい面１３Ａとの間やその周囲を主切れ刃３Ａ側へ向かって流れていく。これにより、切屑Ｗ及び切れ刃３に効率よく安定してクーラントが供給されることとなり、切屑Ｗの排出性や切れ刃３の切れ味が安定して高められて、加工精度が確保される。
【００６６】
また、第２供給孔１６よりも小径に設定された第３供給孔１７が、該第２供給孔１６の切れ刃３側に連通して形成されている。そして、これら第２、第３供給孔の間には、第２供給孔１６の軸線Ｏ２に沿って切れ刃３側へ向かうに従い漸次縮径するテーパ面１８が形成されている。このようなテーパ面１８が形成されていることにより、第２供給孔１６から第３供給孔１７に流入するクーラントの摩擦抵抗が低減されるとともに、クーラントの流速が高められている。従って、第３供給孔１７内を通って切れ刃３近傍へ噴出されるクーラントの勢いが十分に確保される。
【００６７】
また、第３供給孔１７の内径が０．５ｍｍ〜１．６ｍｍの範囲内に設定されているので、クーラントが該第３供給孔１７内で詰まるようなことが防止されているとともに、該クーラントの噴出力が十分に確保される。すなわち、前記内径が０．５ｍｍよりも小さく設定された場合、第３供給孔１７内でクーラントが固着等により詰まってしまうことがある。また、前記内径が１．６ｍｍを超えて設定された場合、第２供給孔１６から第３供給孔１７に流れ込んだクーラントの流速が十分に高められにくくなり、噴出の勢いが確保できないことがある。
【００６８】
また、第３供給孔１７は、調整部材１９に形成されており、該調整部材１９は工具本体２に着脱可能とされている。すなわち、調整部材１９を交換することによって、内径の異なる第３供給孔１７に容易に変更できることから、該第３供給孔１７を通して噴出されるクーラントの流速や供給量をより精細に調整することが可能である。
【００６９】
尚、本発明は前述の実施形態に限定されるものではなく、本発明の趣旨を逸脱しない範囲において種々の変更を加えることができる。
例えば、前述の実施形態では、切削工具として刃先交換式転削工具１を用いて説明したが、これに限定されるものではない。すなわち、切削工具として転削工具１以外の旋削工具等を用いることとしても構わない。また、切削インサート４を用いる刃先交換式切削工具に限定されるものではなく、例えば、工具本体２の先端外周部に切れ刃３が直接形成されたソリッドタイプの切削工具であってもよい。
【００７０】
また、本実施形態で説明した角度α、深さＸ、距離Ｌ、及び、第３供給孔１７の内径は、前述した数値の範囲内に限定されるものではない。
【００７１】
また、凹所１５は、工具軸線Ｏ１回りに周方向に沿って延びる円環状をなしていることとしたが、これに限定されるものではなく、例えば、凹所１５が、内面６Ａから部分的に窪む凹曲面状等に形成されていてもよい。また、凹所１５は、工具軸線Ｏ１方向に間隔をあけて複数形成されているとしたが、工具軸線Ｏ１回りに周方向に間隔をあけて複数形成されていてもよい。また、複数の凹所１５の深さＸ同士は、互いに異なる値に設定されていてもよい。また、凹所１５が複数形成されていることとしたが、凹所１５は単数形成されていても構わない。
【００７２】
また、図４（ｂ）及び図５（ａ）（ｂ）は、凹所１５の変形例を示している。
図４（ｂ）の側断面視において、凹所１５は、その工具軸線Ｏ１側を向く奥面１５Ａが該工具軸線Ｏ１に平行となるように形成されている。奥面１５Ａの工具軸線Ｏ１方向に沿う長さは、第２供給孔１６の内径と略同一に設定されている。また、凹所１５において奥面１５Ａの周囲に連なる部位は、内面６Ａから奥面１５Ａ側に向かうに従い漸次軸線Ｏ２に接近するように傾斜するテーパ面とされている。
【００７３】
また、図５（ａ）の側断面視において、凹所１５は、全体に凹曲線状に形成されている。
また、図５（ｂ）の側断面視において、凹所１５は、その工具軸線Ｏ１側を向く奥面１５Ａが該工具軸線Ｏ１に平行となるように形成されている。この変形例では、奥面１５Ａの工具軸線Ｏ１方向に沿う長さが、第２供給孔１６の内径よりも大きく設定されている。また、凹所１５において奥面１５Ａの周囲に連なる部位は、内面６Ａから奥面１５Ａ側に向かうに従い漸次軸線Ｏ２に接近するように傾斜するテーパ面とされている。
【符号の説明】
【００７４】
１  刃先交換式転削工具（切削工具）
２  工具本体
３  切れ刃
６  第１供給孔
６Ａ  第１供給孔の内面
１０  切削工具のクーラント供給孔構造
１５  凹所
１５Ａ  凹所の奥面
１６  第２供給孔
１７  第３供給孔
１８  テーパ面
Ｌ  第２供給孔の軸線と切れ刃との距離
Ｏ１  工具軸線
Ｏ２  第２供給孔の軸線
Ｔ  工具回転方向
α  第１供給孔の内面が工具軸線Ｏ１に対して傾斜する角度
【図１】
0005515958.tif 000002
【図２】
0005515958.tif 000003
【図３】
0005515958.tif 000004
【図４】
0005515958.tif 000005
【図５】
0005515958.tif 000006